(57)【要約】【課題】描画対象を自動的に認識して、描画対象に応じた描画を行うことのできる描画装置を提供する。【解決手段】描画可能領域２１ａ内に配置されている描画対象の種類に応じた描画用データを生成するプロセッサ８１である描画データ生成部８１５と、描画可能領域２１ａ内に配置された描画対象にプロセッサ８１である描画データ生成部８１５により生成された描画用データに基づいて描画を施す描画ヘッド４１と、を備えた。【選択図】図２
2019017991.tif 000002
【特許請求の範囲】
【請求項１】
描画可能領域内に配置されている描画対象の種類に応じた描画用データを生成するプロセッサと、
前記描画可能領域内に配置された前記描画対象に前記プロセッサにより生成された前記描画用データに基づいて描画を施す描画ヘッドと、
を備えた描画装置。
【請求項２】
前記描画対象は、指の爪及び前記指の爪以外の記録用媒体を含む請求項１に記載の描画装置。
【請求項３】
前記プロセッサは、前記指の爪及び前記記録用媒体の輪郭を検出することで描画可能領域内に配置されている前記描画対象の種類を検出する請求項２に記載の描画装置。
【請求項４】
前記プロセッサは、
前記描画対象として前記指の爪が検出された場合は、当該指の爪に応じた描画用データを生成し、
前記描画対象として前記記録用媒体が検出された場合は、検出された記録用媒体に応じた描画用データを生成し、
前記描画対象として前記指の爪及び前記記録用媒体が共に検出された場合は、検出された指の爪及び記録用媒体に応じた描画用データを生成する請求項２に記載の描画装置。
【請求項５】
前記描画可能領域内には、前記指を固定する指固定部と前記記録用媒体を配置する媒体載置部とが設けられ、
前記指固定部に固定された前記指の爪の表面の高さ位置と、前記媒体載置部に載置された前記記録用媒体の表面の高さ位置とが面一となるように構成されている請求項２に記載の描画装置。
【請求項６】
前記描画可能領域内には、保持部材配置部が設けられ、
前記保持部材配置部には、前記指を保持する指保持部材と前記記録用媒体を保持する媒体保持部材とが、選択的に着脱可能となっており、
前記プロセッサは、
前記保持部材配置部に前記指の爪が保持された前記指保持部材が装着された場合は、当該指の爪に応じた描画用データを生成し、
前記保持部材配置部に前記記録用媒体が保持された前記媒体保持部材が装着された場合は、当該記録用媒体に応じた描画用データを生成する請求項２に記載の描画装置。
【請求項７】
前記媒体保持部材に保持される前記記録用媒体は、ネイルシール及び転写用シートを含んでおり、
前記プロセッサは、
前記記録用媒体がネイルシールである場合には、正像印刷用の描画用データを生成し、
前記記録用媒体が転写用シートである場合には、反転像印刷用の描画用データを生成する請求項６に記載の描画装置。
【請求項８】
前記記録用媒体に対応する描画用データは、前記爪に描画する画像データと任意の文字データとを含んでいる請求項２に記載の描画装置。
【請求項９】
前記任意の文字データは、前記描画ヘッドが当該描画用データに基づいて描画を施した時間情報を含んでいる請求項８に記載の描画装置。
【請求項１０】
描画装置の描画方法であって、
描画可能領域内に配置されている描画対象の種類を検出し、
前記検出された前記描画対象の種類に応じた描画用データを生成し、
描画可能領域内において検出された前記描画対象に生成された前記描画用データに基づいて描画を施す、
描画方法。
【請求項１１】
描画ヘッドを備えた描画装置のコンピュータに、
描画可能領域内に配置されている描画対象の種類を検出させ、
前記検出された前記描画対象の種類に応じた描画用データを生成させ、
描画可能領域内において前記検出された前記描画対象に生成された前記描画用データに基づいて前記描画対象に描画させるように前記描画ヘッドを制御する、
処理を実行させる読み取り可能なプログラムを記録した記録媒体。
【発明の詳細な説明】
【技術分野】
【０００１】
本発明は、描画装置、描画方法及びプログラムを記録した記録媒体に関するものである。
【背景技術】
【０００２】
従来、指の爪等にネイルデザインを描画する描画装置が知られている（例えば、特許文献１参照）。
こうした描画装置では、爪を所定の位置にセットして、ユーザが選択したネイルデザイン等を当該爪に描画する。
このような装置によれば、ネイルサロン等を利用しなくても爪にネイルデザインを施すことが可能となる。
【０００３】
ところで、ユーザとしては爪に描画したネイルデザインをシートやカード等の記録用媒体にも印刷して自らのコレクションや今後の参考のためにとっておきたいとの要望がある。
そこで、爪に描画する描画装置において紙等の記録用媒体にも印刷できるモードを備えることも考えられる。
【先行技術文献】
【特許文献】
【０００４】
【特許文献１】特表２００３−５３４０８３号公報
【発明の概要】
【発明が解決しようとする課題】
【０００５】
しかしながら、爪に描画した後に別途紙等の記録用媒体をセットして印刷を行うことは時間もかかり面倒である。
また、爪に対してのみ描画すればよく、特に記録用媒体に記録を残す必要がない場合や、これとは逆に、爪に描画する前に記録用媒体だけに描画して仕上がり具合を確認したい場合、爪と記録用媒体の両方に同時に描画したい場合というように、ユーザの求める状況は様々である。
また、例えばタトゥーシート等の転写用のシートやネイルシール等、爪ではない記録用媒体に描画したい場合もある。
この点、その都度、どのような対象に描画を行うかをユーザが設定することは手間がかかる。また、各描画対象に応じた描画設定をユーザが行うことは煩雑であるとの問題がある。
【０００６】
本発明は以上のような事情に鑑みてなされたものであり、描画対象を自動的に認識して、描画対象に応じた描画を行うことのできる描画装置、描画方法及びプログラムを記録した記録媒体を提供することを利点とするものである。
【課題を解決するための手段】
【０００７】
前記課題を解決するために、本発明の描画装置は、
描画可能領域内に配置されている描画対象の種類に応じた描画用データを生成するプロセッサと、
前記描画可能領域内に配置された前記描画対象に前記プロセッサにより生成された前記描画用データに基づいて描画を施す描画ヘッドと、
を備えたことを特徴としている。
【発明の効果】
【０００８】
本発明によれば、描画対象を自動的に認識して、描画対象に応じた描画を行うことができる。
【図面の簡単な説明】
【０００９】
【図１】第１の実施形態における描画装置の全体構成を示す斜視図である。
【図２】描画装置から筐体を取り外して内部構成を示した要部斜視図である。
【図３】（ａ）は、描画可能領域を示す模式的平面図であり、（ｂ）は、描画可能領域の模式的正面図であり、（ｃ）は、描画可能領域を示す模式的側面図である。
【図４】第１の実施形態における描画装置の制御構成を示した要部ブロック図である。
【図５】第１の実施形態における描画装置の描画処理を示すフローチャートである。
【図６】（ａ）は、爪のみが描画可能領域にセットされている場合における描画後の爪の一例を示す平面図であり、（ｂ）は、爪と記録用媒体が描画可能領域にセットされている場合における描画後の爪と記録用媒体の一例を示す平面図であり、（ｃ）は、記録用媒体のみが描画可能領域にセットされている場合における描画後の記録用媒体の一例を示す平面図である。
【図７】第２の実施形態における描画装置の全体構成を示す斜視図である。
【図８】（ａ）は、保持部材配置部に指保持部材が装着された場合の模式的平面図であり、（ｂ）は、保持部材配置部に指保持部材が装着された場合の模式的正面図であり、（ｃ）は、保持部材配置部に指保持部材が装着された場合の模式的側面図である。
【図９】（ａ）は、保持部材配置部３７に媒体保持部材６０が装着された場合の模式的平面図であり、（ｂ）は、保持部材配置部３７に媒体保持部材６０が装着された場合の模式的正面図であり、（ｃ）は、保持部材配置部３７に媒体保持部材６０が装着された場合の模式的側面図である。
【図１０】第２の実施形態における描画装置の制御構成を示した要部ブロック図である。
【図１１】第２の実施形態における描画装置の描画処理を示すフローチャートである。
【図１２】第２の実施形態における描画装置の描画処理を示すフローチャートである。
【図１３】（ａ）は、記録用媒体であるネイルシールと記録用媒体としてのメモ媒体が描画可能領域にセットされている場合における描画可能領域一例を示す平面図であり、（ｂ）は、描画後のネイルシール及びメモ媒体の一例を示す平面図である。
【図１４】（ａ）は、記録用媒体であるタトゥーシートと記録用媒体としてのメモ媒体が描画可能領域にセットされている場合における描画可能領域一例を示す平面図であり、（ｂ）は、描画後のトゥーシート及びメモ媒体の一例を示す平面図である。
【発明を実施するための形態】
【００１０】
［第１の実施形態］
図１から図６（ａ）〜図６（ｃ）を参照しつつ、本発明に係る描画装置、描画方法及びプログラムを記録した記録媒体の第１の実施形態について説明する。
なお、以下に述べる実施形態には、本発明を実施するために技術的に好ましい種々の限定が付されているが、本発明の範囲を以下の実施形態及び図示例に限定するものではない。
また、以下の実施形態では、描画装置が手の指の爪を描画対象としてこれに描画する描画装置を例に説明するが、本発明における描画装置の描画対象は手の指の爪に限るものではなく、例えば足の指の爪等を描画対象としてもよい。
さらに、本実施形態における描画装置は、後述するように、爪のみでなく、紙等の記録用媒体も描画対象とするものである。
【００１１】
図１は、本実施形態における描画装置の外観を示す斜視図である。
図１に示すように、本実施形態における描画装置１は、ほぼ箱形に形成された筐体１１を有している。
筐体１１の上面（天板）には操作部１２が設置されている。
操作部１２は、ユーザが各種入力を行う入力部である。
操作部１２には、例えば、描画装置１の電源をＯＮする電源スイッチ釦、動作を停止させる停止スイッチ釦、爪Ｔに描画するデザイン画像を選択するデザイン選択釦、描画開始を指示する描画開始釦等、各種の入力を行うための操作釦が配置されている。
【００１２】
また、筐体１１の上面（天板）には表示部１３が設置されている。
表示部１３は、例えば液晶ディスプレイ（ＬＣＤ：Liquid Crystal Display）、有機エレクトロルミネッセンスディスプレイその他のフラットディスプレイ等で構成されている。
本実施形態において、この表示部１３には、例えば、各種の指示等や、印刷指Ｕ１を撮影して得た爪画像（爪Ｔの画像を含む指画像）、この爪画像中に含まれる爪Ｔの輪郭線等の画像、爪Ｔに描画すべきデザイン画像を選択するためのデザイン選択画面、デザイン確認用のサムネイル画像、各種の指示を表示させる指示画面等が適宜表示される。
なお、表示部１３の表面に各種の入力を行うためのタッチパネルが一体的に構成されていてもよい。この場合には、タッチパネルが操作部１２として機能する。
【００１３】
さらに、筐体１１の前面側（図１において手前側）には、描画装置１による描画時に描画対象を挿入し、描画部４０による描画が可能な描画可能位置にセットするための開口部１５が形成されている。
本実施形態では、後述するように、描画対象となる爪Ｔに対応する指（これを「印刷指Ｕ１」という。）と、紙等の記録用媒体Ｐとが描画対象として描画可能位置にセットされるようになっており、開口部１５は、これら印刷指Ｕ１や記録用媒体Ｐを装置内外に抜き差しする際に干渉しない程度の幅等を有する大きさに形成されている。
【００１４】
図２は、図１に示す描画装置１から筐体１１を外して描画装置１の内部構成を示した要部斜視図である。
図２に示すように、筐体１１の内部には、印刷指Ｕ１の爪Ｔや記録用媒体Ｐが装置内に挿入されたときにこれらを保持する描画対象保持部２と、印刷指Ｕ１の爪Ｔや記録用媒体Ｐに描画を施す描画部４０と、印刷指Ｕ１及びその爪Ｔや記録用媒体Ｐを撮影する撮影部５０等が設けられている。
【００１５】
描画対象保持部２は、描画装置１の幅方向（図１及び図２においてＸ方向）に延在するテーブル状の部材であり、描画対象を載置する上面板２１とこの上面板２１の幅方向の端部を支持する一対の脚部２２とを有している。
描画対象保持部２が筐体１１内に収容された状態において、描画対象保持部２の上面板２１は、描画装置１の上下方向（図１において上下方向）におけるほぼ中央部に配置され、開口部１５内において上下に空間を区分する仕切りとしても機能する。
すなわち、開口部１５内において上面板２１よりも上は、描画対象（すなわち、印刷指Ｕ１の爪Ｔ及び記録用媒体Ｐ）を受け入れる空間となり、開口部１５内において上面板２１よりも下は、例えば描画対象ではない指（これを非印刷指（図示せず）という。）等を退避させる空間となる。
【００１６】
図３（ａ）は、上面板２１の要部構成を模式的に示す平面図であり、図３（ｂ）は、上面板２１の模式的正面図であり、図３（ｃ）は、上面板２１を示す模式的側面図である。
図３（ａ）〜図３（ｃ）に示すように、上面板２１のうち、後述する描画部４０の描画ヘッド４１によって描画を行うことができる領域（これを「描画可能領域２１ａ」という。）における幅方向（図１及び図２においてＸ方向）のほぼ中央部には、描画対象である爪Ｔの指である印刷指Ｕ１が挿入され固定される指固定部３が設けられている。
【００１７】
図２等に示すように、指固定部３は装置手前側に開口する箱状の部材であり、指固定部３内部には印刷指Ｕ１を固定する指固定部材３１が配置されている。指固定部材３１は、印刷指Ｕ１を下側から押し上げ支持するものであり、例えば柔軟性を有する樹脂等で形成されている。なお、指固定部材３１は、印刷指Ｕ１を下側から支持し得るものであればよく、その構成は特に限定されない。例えば、ばね等の弾性部材によって下方から付勢されていてもよい。また、例えば、指固定部材３１は、内圧を変化させることにより膨縮可能に構成されており、膨張状態において印刷指Ｕ１を押し上げ、その位置を固定する構成としてもよい。
指固定部３の天面奥側は上側に開口する窓部３３となっている。窓部３３からは指固定部３内に挿入された印刷指Ｕ１の爪Ｔが露出するようになっている。
また、指固定部３の天面手前側は印刷指Ｕ１の上方向の位置を規制する指押え３４となっている。印刷指Ｕ１及びその爪Ｔは、下側から指固定部材３１によって支持され、印刷指Ｕ１の上側が指押え３４によって押さえられることで所定の位置に位置決めされる。
【００１８】
描画可能領域２１ａ内であって、指固定部３の側部（図２において装置幅方向Ｘの側部）には、記録用媒体Ｐを載置する媒体載置部３５が設けられている。
本実施形態では、指固定部３の両側部に媒体載置部３５が設けられる場合を図示しているが、媒体載置部３５は描画可能領域２１ａ内に配置されていればよく、その配置や大きさ等は特に限定されない。
例えば、媒体載置部３５は描画可能領域２１ａ内であって、指固定部３が設けられている部分以外の領域に広く指固定部３を囲むように一繋がりに設けられていてもよい。
また、指固定部３の右側部又は左側部のいずれか一方のみに媒体載置部３５が設けられていてもよい。さらに、各種の記録用媒体Ｐのサイズや種類等に対応して、大きさや深さ等の異なる複数の媒体載置部３５が用意されていてもよい。
【００１９】
ここで、記録用媒体Ｐは、例えばシート状の紙やカード状の紙、プラスチック等の合成樹脂で形成されたシートやカード、フィルム等である。
なお、記録用媒体Ｐはここに例示したものに限定されず、本実施形態におけるインクジェット方式の描画ヘッド４１により描画することの可能な媒体であればどのようなものでも適用可能である。
【００２０】
媒体載置部３５には、記録用媒体Ｐを載置すべき位置を示すラインや、四つの角部を示す指標等が付されていてもよい。
また、媒体載置部３５は、載置が予定されている記録用媒体Ｐの表面の色との間でコントラストが大きくなるような色で形成されていてもよい。例えば記録用媒体Ｐの表面が白色等の薄い色である場合には、媒体載置部３５の表面は黒色等の濃い色であることが好ましい。
後述するように、本実施形態では媒体載置部３５に記録用媒体Ｐが載置されているか否か、また、載置されている記録用媒体Ｐの種類や大きさ等を、撮影部５０により撮影された画像から識別するようになっている。このため、画像認識にて記録用媒体Ｐの有無や種類、置かれている位置等を把握しやすいように、上記のように、媒体載置部３５と記録用媒体Ｐとの色のコントラストを明確にしたり、識別しやすい指標等を設けることが好ましい。
【００２１】
図３（ｂ）及び図３（ｃ）において一点鎖線で示すように、媒体載置部３５は、指固定部３において位置決めされた爪Ｔの表面の高さ位置と、媒体載置部３５に載置された記録用媒体Ｐの表面の高さ位置とがほぼ面一となるように高さや深さが構成されている。
このように構成することにより、爪Ｔと記録用媒体Ｐとの両方に描画を施す場合にも、描画対象と描画ヘッド４１との距離（間隔）を一定に保つことができ、描画ヘッド４１の高さ方向の位置調整（インクの吐出制御等）を行わなくても、爪Ｔと記録用媒体Ｐとの両方に仕上がりよく描画することができる。
なお、記録用媒体Ｐによって厚みに差がある場合もあるため、厚い媒体用、薄い媒体用というように、高さの異なる複数種類の媒体載置部３５を用意してもよい。この場合、厚みのある記録用媒体Ｐを載置する媒体載置部３５については、載置が予定される記録用媒体Ｐの形状に沿った凹部形状となっていてもよい。
【００２２】
描画部４０は、描画部本体である描画ヘッド４１、描画ヘッド４１を支持するユニット支持部材４２、描画ヘッド４１をＸ方向（図１等におけるＸ方向、描画装置１の左右方向）に移動させるためのＸ方向移動ステージ４５、Ｘ方向移動モータ４６、描画ヘッド４１をＹ方向（図１等におけるＹ方向、描画装置１の前後方向）に移動させるためのＹ方向移動ステージ４７、Ｙ方向移動モータ４８等を備えて構成されている。本実施形態では、Ｘ方向移動モータ４６とＹ方向移動モータ４８等により、描画ヘッド４１を移動させるヘッド移動部４９（図４参照）が構成されている。
【００２３】
本実施形態の描画ヘッド４１は、インクジェット方式で描画を行うインクジェットヘッドである。
描画ヘッド４１は、例えば、イエロー（Ｙ；YELLOW）、マゼンタ（Ｍ；MAGENTA）、シアン（Ｃ；CYAN）のインクに対応する図示しないインクカートリッジと各インクカートリッジにおける描画対象（爪Ｔの表面）に対向する面（本実施形態では、図１及び図２における下面）に設けられた図示しないインク吐出部とが一体に形成されたインクカートリッジ一体型のヘッドである。インク吐出部は、それぞれの色のインクを噴射する複数のノズルからなるノズルアレイを備えており、描画ヘッド４１は、インクを微滴化し、インク吐出部から描画対象（爪Ｔや記録用媒体Ｐ）の被描画面に対して直接にインクを吹き付けて描画を行う。なお、描画ヘッド４１は、上記３色のインクを吐出させるものに限定されない。その他のインクを貯留するインクカートリッジ及びインク吐出部を備えていてもよい。
【００２４】
また、ユニット支持部材４２は、Ｘ方向移動ステージ４５に取り付けられたＸ方向移動部４５１に固定されている。Ｘ方向移動部４５１は、Ｘ方向移動モータ４６の駆動によりＸ方向移動ステージ４５上を図示しないガイドに沿ってＸ方向に移動するようになっており、これにより、ユニット支持部材４２に取り付けられている描画ヘッド４１が、Ｘ方向（図２におけるＸ方向、描画装置１の左右方向）に移動するようになっている。
また、Ｘ方向移動ステージ４５は、Ｙ方向移動ステージ４７のＹ方向移動部４７１に固定されている。Ｙ方向移動部４７１は、Ｙ方向移動モータ４８の駆動によりＹ方向移動ステージ４７上を図示しないガイドに沿ってＹ方向に移動するようになっており、これにより、ユニット支持部材４２に取り付けられている描画ヘッド４１が、Ｙ方向（図２におけるＹ方向、描画装置１の前後方向）に移動するようになっている。
なお、本実施形態において、Ｘ方向移動ステージ４５及びＹ方向移動ステージ４７は、Ｘ方向移動モータ４６、Ｙ方向移動モータ４８と、図示しないボールネジ及びガイドとを組み合わせることで構成されている。
本実施形態では、Ｘ方向移動モータ４６及びＹ方向移動モータ４８等により、描画ヘッド４１をＸ方向及びＹ方向に駆動するＸＹ駆動部としてのヘッド移動部４９が構成されている。
【００２５】
描画部４０における描画ヘッド４１、Ｘ方向移動モータ４６、Ｙ方向移動モータ４８は、後述する制御装置８０の描画制御部８１６（図４参照）に接続され、該描画制御部８１６によって制御される。
【００２６】
また、撮影部５０は、撮像装置５１と、照明装置５２とを備えている。
この撮影部５０は、指固定部３内に挿入されて窓部３３から見える印刷指Ｕ１の爪Ｔを照明装置５２によって照明する。そして、撮像装置５１によってその印刷指Ｕ１を撮影して、印刷指Ｕ１の爪Ｔの画像である爪画像（爪画像を含む指の画像）を得るものである。
また、本実施形態では、撮影部５０は、撮像装置５１と照明装置５２とを動作させて、媒体載置部３５を撮影し、媒体載置部３５やこれに載置された記録用媒体Ｐの画像を得る。
なお、本実施形態では、撮像装置５１及び照明装置５２は、描画部４０のユニット支持部材４２の天面部４２１における下側の面であって描画ヘッド４１の側方（図２において描画ヘッド４１の右側）に固定配置されている。これにより、撮像装置５１等は、ヘッド移動部４９により描画ヘッド４１と同様の範囲で移動可能となっている。
なお、撮像装置５１及び照明装置５２の位置は図示例に限定されない。
【００２７】
撮像装置５１は、例えば、２００万画素程度以上の画素を有する固体撮像素子とレンズ等を備えて構成された小型カメラである。
撮像装置５１は、爪Ｔを撮影して爪画像（印刷指Ｕ１を含む爪Ｔの画像）を取得し、この爪画像に基づいて、後述する爪情報検出部８１２が、爪Ｔの輪郭（爪Ｔの形状）や爪Ｔの湾曲形状（爪Ｔの曲率）、爪Ｔの垂直位置等の爪情報を検出する。
また本実施形態では、撮像装置５１は、記録用媒体Ｐを撮影して媒体画像（媒体載置部３５に載置された記録用媒体Ｐ）をも取得する。そして、この媒体画像に基づいて、後述する媒体情報検出部８１３が、記録用媒体Ｐの輪郭（記録用媒体Ｐの形状）や記録用媒体Ｐの垂直位置等の媒体情報を検出する。
【００２８】
照明装置５２は、例えば白色ＬＥＤ等の照明灯である。
本実施形態では、撮像装置５１の手前側と奥側とに撮像装置５１を挟むように２つの照明装置５２が配置されている。照明装置５２は、下方に向けて光を照射して、撮像装置５１の下方の撮影範囲を照明する。なお、照明装置５２を設ける数や、その配置等は図示例に限定されない。
【００２９】
この撮影部５０は、後述する制御装置８０の撮影制御部８１１（図４参照）に接続され、該撮影制御部８１１によって制御されるようになっている。
なお、撮影部５０によって撮影された爪画像の画像データは、後述する記憶部８２の爪画像記憶領域８２１に記憶される。また、記録用媒体Ｐについて取得された媒体画像の画像データについても記憶部８２に記憶されるようにしてもよい。
【００３０】
制御装置８０は、例えば筐体１１天面の下面側等に配置された図示しない基板等に設置されている。
図４は、本実施形態における制御構成を示す要部ブロック図である。
制御装置８０は、図４に示すように、図示しないＣＰＵ（Central Processing Unit）により構成される制御部８１と、ＲＯＭ（Read Only Memory）及びＲＡＭ（Random Access Memory）等（いずれも図示せず）で構成される記憶部８２とを備えるコンピュータである。
【００３１】
記憶部８２には、描画装置１を動作させるための各種プログラムや各種データ等が格納されている。
具体的には、記憶部８２のＲＯＭには、爪画像から爪Ｔの形状や爪Ｔの輪郭、爪の幅、爪の面積等の各種の爪情報を検出するための爪情報検出プログラム、媒体画像から記録用媒体Ｐの有無や記録用媒体Ｐの種類等を検出するための媒体情報検出プログラム、描画用データを生成するための描画データ生成プログラム、描画処理を行うための描画プログラム等の各種プログラムが格納されており、これらのプログラムが制御装置８０によって実行されることによって、描画装置１の各部が統括制御されるようになっている。
また、本実施形態において記憶部８２には、撮影部５０によって取得されたユーザの印刷指Ｕ１の爪Ｔの爪画像を記憶する爪画像記憶領域８２１、爪情報検出部８１２によって検出された爪情報（爪Ｔの輪郭や爪Ｔの傾斜角度等）が記憶される爪情報記憶領域８２２、及び爪Ｔに描画されるネイルデザインの画像データを記憶するネイルデザイン記憶領域８２３等が設けられている。
【００３２】
制御部８１は、機能的に見た場合、撮影制御部８１１、爪情報検出部８１２、媒体情報検出部８１３、描画データ生成部８１５、描画制御部８１６、表示制御部８１７等を備えている。これら撮影制御部８１１、爪情報検出部８１２、媒体情報検出部８１３、描画データ生成部８１５、描画制御部８１６、表示制御部８１７等としての機能は、制御部８１のＣＰＵと記憶部８２のＲＯＭに記憶されたプログラムとの協働によって実現される。
【００３３】
撮影制御部８１１は、撮影部５０の撮像装置５１及び照明装置５２を制御して撮像装置５１により、指固定部３に固定された印刷指Ｕ１の爪Ｔの画像を含む指の画像（以下「爪画像」という。）を撮影させるものである。
撮影部５０により取得された爪画像の画像データは、記憶部８２の爪画像記憶領域８２１に記憶される。
【００３４】
爪情報検出部８１２は、撮像装置５１によって撮影された指固定部３に固定された印刷指Ｕ１の爪Ｔの画像に基づいて、印刷指Ｕ１の爪Ｔについての爪情報を検出するものである。
ここで、爪情報とは、例えば、爪Ｔの輪郭（爪形状、爪Ｔの水平位置のＸＹ座標等）、爪Ｔの高さ（爪Ｔの垂直方向の位置、以下「爪Ｔの垂直位置」又は単に「爪Ｔの位置」ともいう。）、爪Ｔの表面の、ＸＹ平面に対する傾斜角度（爪Ｔの傾斜角度、爪曲率）等である。
また、本実施形態では、指固定部３に印刷指Ｕ１（印刷指Ｕ１の爪Ｔ）が固定されているか否か、すなわち爪Ｔの有無も爪情報に含むものとする。
【００３５】
媒体情報検出部８１３は、撮像装置５１によって撮影された媒体載置部３５に載置された記録用媒体Ｐの画像に基づいて、記録用媒体Ｐについての媒体情報を検出するものである。
ここで、媒体情報とは、例えば、記録用媒体Ｐの種類（形状や大きさ、厚み等）等である。
また、本実施形態では、媒体載置部３５に記録用媒体Ｐが載置されているか否か、すなわち記録用媒体Ｐの有無や、記録用媒体Ｐの載置されている位置、載置されている方向、向き等も媒体情報に含むものとする。
前述のように、本実施形態では、媒体載置部３５は、記録用媒体Ｐとのコントラストが分かりやすい色で形成されていたり、記録用媒体Ｐを識別するための指標等が設けられるようになっている。
このため、例えば、背景となる媒体載置部３５と明らかに色の異なる部分があれば、その輪郭・形状を画像から抽出し記録用媒体Ｐの載置されている領域を特定することができる。
また、例えば媒体載置部３５に記録用媒体Ｐの輪郭を現すような指標を設けた場合には、当該指標のうち、一部が画像から検出できない場合には、当該指標の上に記録用媒体Ｐが載ることによって覆われていると判断することができ、この場合にも記録用媒体Ｐの有無や輪郭形状を検出することができる。
さらに、媒体載置部３５ではなく、記録用媒体Ｐの側に、その種類等を識別するためのマーク等を付しておいてもよい。この場合には、撮影部５０により取得された媒体画像からこのマークを検出することで、当該記録用媒体Ｐの形状、大きさ、厚み等、記録用媒体Ｐの種類に関する情報を取得することができる。また、媒体情報検出部８１３は媒体情報として記録用媒体Ｐの紙質（例えば普通紙かインクジェット専用紙か等）や紙の色等を取得してもよい。
媒体情報検出部８１３により検出された媒体情報は記憶部８２等に記憶されてもよい。
【００３６】
なお、本実施形態では、図４に示すように、爪情報検出部８１２と媒体情報検出部８１３とにより、描画可能領域２１ａ内に配置されている描画対象（爪Ｔ及び記録用媒体Ｐ）の種類を検出する描画対象検出部８１４が構成される。
また、前述のように、本実施形態の描画対象検出部８１４は、描画対象（すなわち、爪Ｔ及び記録用媒体Ｐ）の有無も検出するようになっている。
【００３７】
描画データ生成部８１５は、描画対象検出部８１４により検出された描画対象（すなわち、爪Ｔや記録用媒体Ｐ）に応じた描画用データを生成する。
まず、描画データ生成部８１５は、描画対象検出部８１４である爪情報検出部８１２により爪情報が検出されると、当該検出された爪情報に基づいて、描画ヘッド４１により印刷指Ｕ１の爪Ｔに描画を施すための爪領域描画用データを生成する。
具体的には、描画データ生成部８１５は、爪情報検出部８１２により検出されたユーザの爪Ｔの形状等に基づいてネイルデザインの画像データを拡大、縮小、切出し等することにより爪Ｔの形状に合わせ込む合せ込み処理を行う。
また、描画データ生成部８１５は、爪情報検出部８１２により検出された爪情報に応じて、適宜曲面補正等の爪Ｔの立体形状を考慮した補正を行う。
これにより、描画ヘッド４１によって爪Ｔに描画されるネイルデザインの爪領域描画用データが生成される。
【００３８】
また、描画データ生成部８１５は、描画対象検出部８１４である媒体情報検出部８１３により媒体情報が検出されると、当該検出された媒体情報に基づいて、描画ヘッド４１により記録用媒体Ｐに描画を施すための媒体領域描画用データを生成する。
具体的には、まず、描画対象が爪Ｔと記録用媒体Ｐとの両方である場合には、描画データ生成部８１５は、爪情報検出部８１２により検出されたユーザの爪Ｔの形状等に基づいてネイルデザインの画像データを拡大、縮小、切出し等することにより爪Ｔの形状に合わせ込む合せ込み処理を行う。なお、曲面である爪Ｔに描画する場合とは異なり、記録用媒体Ｐに描画するための媒体領域描画用データの生成においては、描画対象が爪Ｔである場合特有の補正（例えば曲面補正）等は行わない。
さらに、記録用媒体Ｐも描画対象となっている場合には、描画時のタイムスタンプや、ユーザ等によって入力された文字情報等のテキスト描画データを、記録用媒体Ｐ中の爪Ｔの画像を描画する位置とは異なる（爪Ｔの画像と重なり合わない）所定の位置に配置されるように合成する。
これにより、描画ヘッド４１によって記録用媒体Ｐに描画されるネイルデザインの媒体領域描画用データが生成される。
【００３９】
他方、描画対象検出部８１４（すなわち、爪情報検出部８１２及び媒体情報検出部８１３）による検出の結果、描画対象が記録用媒体Ｐのみである場合には、描画データ生成部８１５は、記憶部８２等に記憶されているモデル爪の形状等に基づいてネイルデザインの画像データを拡大、縮小、切出し等することによりモデル爪の形状に合わせ込む合せ込み処理を行う。なお、この場合にも曲面である爪に描画する場合とは異なり、記録用媒体Ｐに描画するための媒体領域描画用データの生成においては、描画対象が爪である場合特有の補正（例えば曲面補正）等は行わない。
さらに、記録用媒体Ｐに描画する場合には、描画時のタイムスタンプや、ユーザ等によって入力された文字情報等のテキスト描画データを、記録用媒体Ｐ中の爪の画像を描画する位置とは異なる（爪の画像と重なり合わない）所定の位置に配置されるように合成する。
これにより、描画ヘッド４１によって記録用媒体Ｐに描画されるネイルデザインの媒体領域描画用データが生成される。
なお、媒体情報検出部８１３が検出する媒体情報が記録用媒体Ｐの紙質や色等の情報を含む場合には、描画データ生成部８１５は、媒体領域描画用データの生成において、各記録用媒体Ｐの紙質や色に応じた濃度や色調等の調整を行ってもよい。
【００４０】
描画制御部８１６は、描画データ生成部８１５によって生成された描画用データに基づいて描画部４０に制御信号を出力し、爪Ｔに対してこの描画用データにしたがった描画を施すように描画部４０のＸ方向移動モータ４６、Ｙ方向移動モータ４８、描画ヘッド４１等を制御する制御部である。
本実施形態では、描画データ生成部８１５により、爪Ｔに描画するための爪領域描画用データと記録用媒体Ｐに描画するための媒体領域描画用データとが生成される可能性があり、描画制御部８１６は、各描画用データに基づいて描画部４０を制御する。
爪Ｔが配置される指固定部３及び記録用媒体Ｐが載置される媒体載置部３５はいずれも描画ヘッド４１の描画可能領域２１ａ内に位置しているため、いずれにおいても適切に描画動作を行うことができる。
【００４１】
なお、爪Ｔに対する描画と記録用媒体Ｐに対する描画の両方を行う場合、２つの描画動作は同時並行的（すなわち、例えば指固定部３と媒体載置部３５との間で描画ヘッド４１を往復動作させながら描画を行う等）に行われてもよいし、まず、爪Ｔに対する描画か記録用媒体Ｐに対する描画のいずれか一方を行い、これが完了してから、他方の描画対象に対する描画動作を行ってもよい。
また、爪Ｔに描画する場合と記録用媒体Ｐに描画する場合とで具体的な描画制御の手法を変えてもよい。記録用媒体Ｐは爪Ｔのように表面が湾曲していないため、爪Ｔに対して曲面に対応した描画制御を行っている場合には、記録用媒体Ｐに描画する際にこうした特殊な制御を行わない方が仕上がりがよくなることも考えられる。
【００４２】
表示制御部８１７は、表示部１３を制御して表示部１３に各種の表示画面を表示させるものである。本実施形態では、表示制御部８１７、例えばネイルデザインの選択画面やデザイン確認用のサムネイル画像、印刷指Ｕ１を撮影して取得した爪画像、各種の指示画面、操作画面等を表示部１３に表示させるようになっている。
【００４３】
次に、図５及び図６（ａ）〜図６（ｃ）を参照しつつ、本実施形態における描画装置１の作用について説明する。
本実施形態では、描画装置１で爪Ｔへの描画を行う場合、ユーザが操作部１２等から描画開始の指示が入力することで装置に描画開始が指示されると（ステップＳ１）、制御部８１は、表示部１３等にネイルデザイン選択画面を表示させて、描画するネイルデザインを選択させる。ユーザが所望のネイルデザインを選択し入力することで、描画するネイルデザインが選択される（ステップＳ２）。
制御部８１は、指固定部３に印刷指Ｕ１が挿入されたか否かを判断する（ステップＳ３）。具体的には撮影部５０により指固定部３内を撮影させて画像を取得し、この画像を分析することで指固定部３内に印刷指Ｕ１及びその爪Ｔがあるか否かを判断する。
指固定部３に印刷指Ｕ１が挿入されている場合（ステップＳ３；ＹＥＳ）には、制御部８１は、撮影部５０を制御して爪情報を検出するための爪画像を撮影し、当該画像を取得する（ステップＳ４）。
【００４４】
爪画像が取得されると、爪情報検出部８１２が爪画像から爪の形状等の爪情報を取得する（ステップＳ５）。そして描画データ生成部は選択されたネイルデザインをユーザの爪Ｔにフィッティングさせ、ユーザ爪フィッティングデータを生成する（ステップＳ６）。
また、制御部８１は、媒体載置部３５に記録用媒体Ｐが載置されているか否かを判断する（ステップＳ７）。そして、媒体載置部３５に記録用媒体Ｐが載置されていない場合（ステップＳ７；ＮＯ）には、ステップＳ６において生成したユーザ爪フィッティングデータに基づいて爪領域描画用データを生成し（ステップＳ８）、生成された爪領域描画用データに基づいて爪Ｔに対して描画処理を行う（ステップＳ９）。
図６（ａ）は、爪Ｔのみがセットされ、爪Ｔへの描画のみが行われた場合の描画例を示す図である。この場合には、ユーザの爪ＴにネイルデザインＰｄの描画が行われる。
【００４５】
他方、ステップＳ３において指固定部３に印刷指Ｕ１が挿入されていない場合（ステップＳ３；ＮＯ）には、制御部８１は、媒体載置部３５に記録用媒体Ｐが載置されているか否かを判断する（ステップＳ１０）。そして、媒体載置部３５に記録用媒体Ｐが載置されていない場合（ステップＳ１０；ＮＯ）には、何も描画せずにそのまま処理を終了する（ステップＳ１１）。なお、この場合、印刷指Ｕ１か記録用媒体Ｐを所定位置にセットするよう促すメッセージ等を表示部１３に表示させる等によりユーザに注意喚起を行ってもよい。
他方、媒体載置部３５に記録用媒体Ｐが載置されている場合（ステップＳ１０；ＹＥＳ）には、選択されたネイルデザインをモデル爪Ｔｍにフィッティングさせ、モデル爪フィッティングデータを生成する（ステップＳ１２）。
そして、描画時のタイムスタンプ等の文字情報の描画データであるテキスト描画データを生成する（ステップＳ１３）。
さらに、モデル爪フィッティングデータとテキスト描画データとに基づいて媒体領域描画用データを生成し（ステップＳ１４）、生成された媒体領域描画用データに基づいて記録用媒体Ｐに対して描画処理を行う（ステップＳ１５）。
【００４６】
図６（ｃ）は、記録用媒体Ｐのみがセットされ、記録用媒体Ｐへの描画のみが行われた場合の描画例を示す図である。この場合には、媒体載置部３５にセットされている記録用媒体Ｐにネイルデザインの描画が行われる。
記録用媒体Ｐに描画される内容は、例えば図６（ｃ）に示すように、ネイルデザインＰｄがモデル爪Ｔｍにフィッティングされた画像と、描画が行われた日時を示すタイムスタンプＰｓと、ユーザが操作部１２等から入力したコメント等のテキスト情報Ｐｔ等である。なお、テキスト情報は、ユーザが入力したものに限定されず、ネイルデザインのデータに対応付けられている種別番号やコメント等（例えば「春用デザインＮｏ．１」等）のデータでもよい。
【００４７】
また、ステップＳ７において、媒体載置部３５に記録用媒体Ｐが載置されている場合（ステップＳ７；ＹＥＳ）には、描画データ生成部８１５は、描画時のタイムスタンプ等の文字情報の描画テータであるテキスト描画データを生成する（ステップＳ１６）。
そして、ステップＳ６において生成されたユーザ爪フィッティングデータに基づいて爪領域描画用データを生成するとともに、ユーザ爪フィッティングデータとテキスト描画データとに基づいて媒体領域描画用データを生成する（ステップＳ１７）。なお、この媒体領域描画用データについては、ユーザ爪フィッティングデータに基づくが、曲面補正等、爪特有の補正は行わない。
さらに、爪領域描画用データと媒体領域描画用データとを合成して合成描画用データを生成し（ステップＳ１８）、生成された合成描画用データに基づいて爪Ｔ及び記録用媒体Ｐに対して描画処理を行う（ステップＳ１９）。
【００４８】
図６（ｂ）は、爪Ｔが指固定部３にセットされ、記録用媒体Ｐが媒体載置部３５にセットされ、ユーザの爪Ｔと記録用媒体Ｐとの両方に対して描画が行われた場合の描画例を示す図である。この場合には、指固定部３にセットされている爪Ｔと媒体載置部３５にセットされている記録用媒体Ｐとにネイルデザインの描画が行われる。
この場合、ユーザの爪Ｔには、図６（ａ）に示す爪Ｔのみが描画対象となる場合と同様の描画が行われる。また、記録用媒体Ｐに描画される内容は、例えば図６（ｃ）に示す記録用媒体Ｐのみが描画対象となる場合と同様に、描画が行われた日時を示すタイムスタンプＰｓと、ユーザが操作部１２等から入力したコメント等のテキスト情報Ｐｔ等が描画されるとともに、ユーザの爪ＴにネイルデザインＰｄがフィッティングされた画像が描画される。
なお、図６（ａ）〜図６（ｃ）では、爪にネイルデザインを施した画像に爪だけでなく指部分の画像も含まれている場合を例示しているが、爪について描画される画像はこれに限定されず、指部分を含まない爪のみの画像としてもよい。
また、図６（ｂ）及び図６（ｃ）に示す記録用媒体Ｐに描画される内容やそのレイアウト等は図示例に限定されない。描画内容やレイアウト等はユーザによって自由に設定できるようにしてもよい。
このように、ユーザは何ら設定等を行うことなく、セットされている描画対象に対して適切な画像が描画される。
【００４９】
以上のように、本実施形態によれば、描画可能領域２１ａ内に描画対象が配置されているか否か、配置されている場合その種類が何であるか等を描画対象検出部８１４である爪情報検出部８１２と媒体情報検出部８１３とが検出する。そして検出結果に応じた描画用データを生成してこれに基づいて描画を行う。
このため、ユーザが予め描画対象についての設定等を行わなくても、描画したい対象を装置にセットするだけで自動的に描く描画対象に応じた適切な描画処理を行うことができる。
【００５０】
特に、本実施形態では、描画対象として印刷指Ｕ１の爪Ｔと紙等の記録用媒体Ｐを想定しており、爪Ｔや記録用媒体Ｐの配置の有無や配置されている場所、描画すべき範囲等は描画対象検出部８１４がそれぞれの輪郭を検出することで自動的に取得するようになっている。これにより、爪Ｔへのネイルプリントと、爪Ｔに描画したデザインを残しておくための紙等への描画を、特別な設定等をしなくても、簡易に手間を掛けずに行うことができる。また、爪Ｔにネイルプリントを行う際に紙等への描画も行うことができるため、後日改めて設定・描画処理等を行う必要がない。
【００５１】
また、本実施形態では、印刷指Ｕ１の爪Ｔを指固定部３に固定した場合に位置決めされる爪Ｔの表面の高さ位置と、媒体載置部３５に載置された記録用媒体Ｐの表面の高さ位置とがほぼ面一となるように構成されている。
このため、爪Ｔに描画する場合と記録用媒体Ｐに描画する場合とで描画部４０の描画ヘッド４１の高さ方向の位置を調整したりする必要がなく、いずれに対しても適切な高さ位置から描画を行うことができる。
【００５２】
また、本実施形態では、記録用媒体Ｐに描画するための媒体描画用データは、爪Ｔに描画する画像データ（すなわち、爪Ｔに描画されるネイルデザインのデータ）と任意の文字データとを含んでいる。
このため、爪Ｔに施したデザインについて、コメントやメモをともに記録用媒体Ｐに記録させておくことができ、後日の参考にする際に有意義なコレクションとして記録を残しておくことができる。
任意の文字データは、描画部４０が描画用データに基づいて描画を施した時間情報（時刻情報）を含んでいる。このため、描画を行った記録を時刻も含めて正確に残すことができ、メモとしての役割を適切に果たすことができる。
【００５３】
［第２の実施形態］
次に、図７から図１４を参照しつつ、本発明に係る描画装置、描画方法及びプログラムを記録した記録媒体の第２の実施形態について説明する。なお、本実施形態は、描画装置による描画対象等が第１の実施形態と異なるものであるため、以下においては、特に第１の実施形態と異なる点について説明する。
【００５４】
図７は、本実施形態に係る描画装置の要部斜視図である。なお、図７では内部構成を見やすくするため、筐体の図示を省略している。
図７に示すように、描画装置２００は、第１の実施形態と同様に描画対象保持部２を備えている。
【００５５】
本実施形態の描画対象保持部２の上面板２１のうち、描画可能領域２１ａ内には、第１の実施形態と同様の媒体載置部３５が設けられている。媒体載置部３５には、第１の実施形態と同様に、爪Ｔに印刷したネイルデザインや、当該ネイルデザインを印刷した日付やコメント等を残しておくためのメモ媒体等としての記録用媒体Ｐが載置されている。
また、本実施形態において、上面板２１における幅方向（図７、図８（ａ）及び図９（ａ）においてＸ方向）のほぼ中央部には、保持部材配置部３７が設けられている。
保持部材配置部３７は、装置前面側に開いたほぼコ字状の切欠き部である。
保持部材配置部３７の内側の両側面には、装置の前後方向（図７におけるＹ方向）に延在するガイドレール３８が設けられている。
【００５６】
保持部材配置部３７には、印刷指Ｕ１を保持する指保持部材３０と記録用媒体Ｓを保持する媒体保持部材６０とが、選択的に着脱可能となっている。すなわち、図７に示すように、保持部材配置部３７には、指保持部材３０、媒体保持部材６０のいずれかを装着可能となっている。
【００５７】
図７等に示すように、指保持部材３０は、装置手前側に開口するほぼ箱状の部材であり、指保持部材３０の内部底面は印刷指Ｕ１を載置する指載置部３１ａとなっている。指載置部３１ａは、印刷指Ｕ１を下側から押し上げ支持するものであり、例えば柔軟性を有する樹脂等で形成されている。なお、指載置部３１ａは、印刷指Ｕ１を下側から支持し得るものであればよく、その構成は特に限定されない。例えば、ばね等の弾性部材によって下方から付勢されていてもよい。
第１の実施形態の指固定部３と同様に、指保持部材３０の天面奥側は上側に開口する窓部３３となっている。窓部３３からは指保持部材３０内に挿入された印刷指Ｕ１の爪Ｔが露出するようになっている。
また、指保持部材３０の天面手前側は印刷指Ｕ１の上方向の位置を規制する指押え３４となっている。印刷指Ｕ１及びその爪Ｔは、下側から指載置部３１ａによって支持され、印刷指Ｕ１の上側が指押え３４によって押さえられることで所定の位置に位置決めされる。
指保持部材３０の両側面であって、指保持部材３０を保持部材配置部３７に装着した際に保持部材配置部３７におけるガイドレール３８に対応する位置には、ガイド部３６が装置の前後方向（図７におけるＹ方向）に延在して設けられている。
ガイド部３６は、指保持部材３０を保持部材配置部３７に対して着脱する際にガイドレール３８に係止され、Ｙ方向（図７参照）に沿う移動をガイドされるようになっている。
【００５８】
媒体保持部材６０は、ほぼ箱状の部材であり、媒体保持部材６０の上面は、記録用媒体Ｓが載置され、これを保持する媒体保持部６１となっている。
媒体保持部材６０の両側面であって、媒体保持部材６０を保持部材配置部３７に装着した際に保持部材配置部３７におけるガイドレール３８に対応する位置には、指保持部材３０と同様に、ガイド部６６が装置の前後方向（図７におけるＹ方向）に延在して設けられている。
ガイド部６６は、媒体保持部材６０を保持部材配置部３７に対して着脱する際にガイドレール３８に係止され、Ｙ方向（図７参照）に沿う移動をガイドされるようになっている。
【００５９】
また、本実施形態では、指保持部材３０及び媒体保持部材６０の奥側（すなわち、図７におけるＹ方向の奥側）の外側面には、例えばバーコード等の部材識別部（図示せず）が設けられている。
上面板２１の裏面側等であって、指保持部材３０や媒体保持部材６０が保持部材配置部３７に装着された際に、この部材識別部に対応する位置には、部材識別部を読み取ることが可能な保持部材検出部２５（図７、図１０等参照）が設けられている。
本実施形態において、保持部材検出部２５が部材識別部を読み取ることにより、保持部材配置部３７に装着されたものが、印刷指Ｕ１の爪Ｔを保持する指保持部材３０であるのか、ネイルシールや転写用シート（例えばタトゥーシート等）等の記録用媒体Ｓを保持する媒体保持部材６０であるのかを検出することができるようになっている。
【００６０】
なお、指保持部材３０や媒体保持部材６０は、それぞれ１種類ずつに限定されない。
例えば、指保持部材３０として、大・中・小等、指の太さ等に応じた複数種類の指保持部材３０が用意され、適宜最適なものを選択して使用できるようにしてもよい。
また、例えば媒体保持部材６０として、記録用媒体Ｓ（Ｓｎ又はＳｔ）の厚み等に応じた媒体保持部６１の高さの異なる媒体保持部材６０が用意され、適宜最適なものを選択して使用できるようにしてもよい。
この場合には、各指保持部材３０や媒体保持部材６０にそれぞれ異なる部材識別部を付しておき、保持部材検出部２５が部材識別部を読み取ることにより、保持部材配置部３７に装着されたものが、いずれの指保持部材３０又は媒体保持部材６０であるかを検出できるようにしてもよい。
【００６１】
図８（ａ）〜（ｃ）及び図９（ａ）〜（ｃ）は、描画可能領域を示す模式図であり、図８（ａ）は保持部材配置部３７に指保持部材３０が装着された場合の模式的平面図であり、図８（ｂ）は模式的正面図であり、図８（ｃ）は模式的側面図である。また、図９（ａ）は保持部材配置部３７に媒体保持部材６０が装着された場合の模式的平面図であり、図９（ｂ）は模式的正面図であり、図９（ｃ）は模式的側面図である。
図８（ａ）〜（ｃ）及び図９（ａ）〜（ｃ）に示すように、本実施形態では、第１の実施形態と同様に、印刷指Ｕ１の爪Ｔを指保持部材３０に保持した場合に位置決めされる爪Ｔの表面の高さ位置、及びネイルシールや転写用シート（例えばタトゥーシート等）等の記録用媒体Ｓを媒体保持部材６０に保持した場合に位置決めされる記録用媒体Ｓの表面の高さ位置と、媒体載置部３５に載置された記録用媒体Ｐ（メモ媒体等）の表面の高さ位置とがほぼ面一となるように構成されている。
このため、描画対象が爪Ｔである場合、記録用媒体Ｓ（Ｓｎ又はＳｔ）である場合、記録用媒体Ｐである場合のいずれの場合にも、描画部４０の描画ヘッド４１の高さ方向の位置を調整したりする必要がなく、いずれに対しても適切な高さ位置から描画を行うことができる。
【００６２】
図１０は、本実施形態における制御構成を示す要部ブロック図である。
図１０に示すように、本実施形態の描画装置２００は、保持部材検出部２５を備えている。
保持部材検出部２５は、前述のように、保持部材配置部３７に装着された指保持部材３０や媒体保持部材６０の部材識別部を読み取るものであり、例えばバーコードを読み取るバーコードリーダである。なお、部材識別部はバーコードで構成されたものに限定されず、その他の識別標識で構成されたものでもよい。部材識別部がバーコード以外で構成されている場合には、保持部材検出部２５も当該部材識別部を読み取ることのできる各種のリーダやセンサ等で構成される。
保持部材配置部３７に装着された保持部材の種類（すなわち、指保持部材３０又は媒体保持部材６０）を保持部材検出部２５によって自動的に検出可能とすることで、ユーザがその都度入力しなくても描画対象を正しく設定することができる。
【００６３】
また、本実施形態では、第１の実施形態と同様に、プロセッサ（ＣＰＵ）等により構成される制御部８１を備えている。
例えば、制御部８１には、第１の実施形態と同様、爪情報検出部８１２と媒体情報検出部８１３とで構成される描画対象検出部８１４が設けられている。
本実施形態において、媒体情報検出部８１３は、媒体載置部３５に記録用媒体Ｐが載置されているか否か、載置されている場合には、配置されている位置やその範囲（サイズ）等を検出する。
媒体情報検出部８１３が記録用媒体Ｐの配置位置や範囲（サイズ）等を検出する手法は特に限定されない。例えば、ユーザによって操作部１２等から入力され、設定された情報に基づいて検出してもよい。また、撮影部５０の撮像装置５１によって媒体載置部３５を撮影することが可能である場合には、当該撮影画像を解析することで媒体載置部３５に載置される記録用媒体Ｐに関する情報を取得してもよい。さらに、媒体情報検出部８１３が検出する記録用媒体Ｐに関する情報はその位置や範囲に限定されない。例えば、記録用媒体Ｐに対する描画条件を左右する紙質等（例えば、普通紙であるか、インクジェット対応紙であるか等）についても検出可能としてもよい。この場合、記録用媒体Ｐにより適した描画条件で描画することも可能となる。なお、記録用媒体Ｐのサイズや紙質等の各種条件が定型化している場合には、記録用媒体Ｐの表面等に製品番号等を付しておき、媒体情報検出部８１３はこれを読み取ることで、当該製品番号等に対応付けられた記録用媒体Ｐに関する各種情報を取得してもよい。
【００６４】
また、本実施形態では、保持部材配置部３７に媒体保持部材６０が装着された場合に、媒体情報検出部８１３が媒体保持部材６０に保持された記録用媒体Ｓの種類や配置位置や範囲（サイズ）、形状等を検出する。
この場合でも、媒体情報検出部８１３が記録用媒体Ｓの種類や配置位置や範囲（サイズ）、形状等を検出する手法は特に限定されない。例えば、ユーザによって操作部１２等から入力され、設定された情報に基づいて検出してもよい。
記録用媒体Ｓの種類とは、例えば、ネイルデザインの正像が描画されるネイルシール等の記録用媒体Ｓｎであるか、ネイルデザインの反転像が描画される転写用シート（例えばタトゥーシート）等の記録用媒体Ｓｔであるか等である。
また、媒体情報検出部８１３は、撮影部５０の撮像装置５１によって媒体保持部材６０に保持された記録用媒体Ｓを撮影された撮影画像を解析することで媒体保持部材６０に保持され記録用媒体Ｓに関する情報を取得してもよい。記録用媒体Ｓのサイズや紙質等の各種条件が定型化している場合には、記録用媒体Ｓの表面等に製品番号等を付しておき、媒体情報検出部８１３はこれを読み取ることで、当該製品番号等に対応付けられた記録用媒体Ｓに関する各種情報を取得してもよい。例えば、記録用媒体Ｓの種類やサイズ等の各種条件が定型化している場合には、記録用媒体Ｓの表面等に製品番号等を付しておき、媒体情報検出部８１３はこれを読み取ることで、当該製品番号等に対応付けられた記録用媒体Ｓに関する各種情報を取得してもよい。
なお、本実施形態では、記録用媒体Ｓの種類（すなわち、ネイルシール等の記録用媒体Ｓｎかタトゥーシート等の記録用媒体Ｓｔであるか）は、予めユーザが操作部１２等から入力・設定し、媒体情報検出部８１３は、当該入力情報に基づいて記録用媒体Ｓの種類を検出するものとする。
【００６５】
また、爪描画データ生成部８１８は、第１の実施形態における描画データ生成部８１５が爪Ｔについて行ったのと同様に、爪情報検出部８１２によって検出された爪情報に基づいて、描画ヘッド４１により印刷指Ｕ１の爪Ｔに描画を施すための爪領域描画用データを生成する。なお、爪領域描画用データを生成する具体的な手法は第１の実施形態においてしましたものと同様であるため、その説明を省略する。
これにより、描画ヘッド４１によって爪Ｔに描画されるネイルデザインの爪領域描画用データが生成される。
【００６６】
また、媒体描画データ生成部８１９は、描画対象が爪Ｔ以外のものである場合に、各描画対象（すなわち、記録用媒体Ｓｎ、Ｓｔや記録用媒体Ｐ）に応じた描画用データを生成するものである。
具体的には、媒体描画データ生成部８１９は、描画対象の位置や形状に基づいてネイルデザインの画像データを拡大、縮小、切出し等を行うとともに、紙質等に応じた描画データを生成する。なお、描画対象が爪Ｔ以外のものである場合には、爪Ｔのように立体形状ではないため、曲面補正等は行わない。なお、媒体保持部材６０に保持され記録用媒体Ｓが、平面的なネイルシールではなく、爪Ｔと同様の曲面形状を有するネイルチップ等である場合には、爪Ｔが描画対象である場合と同様に曲面補正等を行い、爪領域描画用データと同様の描画用データを生成してもよい。
【００６７】
また、本実施形態における媒体描画データ生成部８１９は、描画対象がネイルシール等の記録用媒体Ｓｎである場合には、正像描画用データを生成し、タトゥーシート等の転写用シートである記録用媒体Ｓｔである場合には、反転像描画用データを生成するというように、描画対象検出部８１４により検出された記録用媒体Ｓの種類に応じて、描画用データを生成する。
これにより、描画ヘッド４１によって記録用媒体Ｓｎ、Ｓｔや記録用媒体Ｐに描画されるネイルデザインの描画用データが生成される。
【００６８】
なお、その他の構成は、第１の実施形態と同様であることから、同一部材には同一の符号を付して、その説明を省略する。
【００６９】
次に、図１１及び図１２を参照しつつ、本実施形態の作用について説明する。
まず、第１の実施形態と同様に、描画開始指示が入力されると（ステップＳ２１）、ユーザがネイルデザインを選択する（ステップＳ２２）。制御部（プロセッサ）８１は、保持部材配置部３７に指保持部材３０が配置されているか否かを判断する（ステップＳ２３）。
保持部材配置部３７に指保持部材３０が配置されている場合（ステップＳ２３；ＹＥＳ）には、制御部（プロセッサ）８１は、指保持部材３０に保持されている印刷指Ｕ１の爪Ｔに応じた爪領域描画用データを生成し、これに基づいて描画部４０に爪Ｔに対する描画処理を行わせる。なお、ステップＳ２４からステップＳ２９は、第１の実施形態の図５におけるステップＳ４からステップＳ９と同様であるため、その説明を省略する。
【００７０】
保持部材配置部３７に指保持部材３０が配置されていない場合（ステップＳ２３；ＮＯ）には、制御部（プロセッサ）８１は、次に保持部材配置部３７に媒体保持部材６０が配置されているか否かを判断する（ステップＳ３０）。保持部材配置部３７に媒体保持部材６０が配置されている場合（ステップＳ３０；ＹＥＳ）には、制御部（プロセッサ）８１は、撮影部５０を動作させて、媒体保持部材６０に保持されている記録用媒体Ｓの画像を取得する（ステップＳ３１）。そして、媒体情報検出部８１３としての制御部（プロセッサ）８１が媒体画像から記録用媒体Ｓの形状等の媒体情報を取得する（ステップＳ３２）。さらに、選択されているネイルデザインを媒体の形状にフィッティングさせ、媒体フィッティングデータを生成する（ステップＳ３３）。
【００７１】
また、媒体情報検出部８１３としての制御部（プロセッサ）８１は、ユーザによってネイルシールモードが選択されているか否かを判断する（ステップＳ３４）。ネイルシールモードが選択されている場合（ステップＳ３４；ＹＥＳ）には、さらに、制御部（プロセッサ）８１は、媒体載置部３５にメモ媒体等の記録用媒体Ｐが載置されているか否かを判断する（ステップＳ３５）。媒体載置部３５にメモ媒体等の記録用媒体Ｐが載置されていない場合、すなわち、描画対象が媒体保持部材６０に保持された記録用媒体Ｓｎのみである場合（ステップＳ３５；ＮＯ）には、媒体描画データ生成部８１９としての制御部（プロセッサ）８１は、媒体フィッティングデータに基づいて正像の描画用データを生成する（ステップＳ３６）。そして、制御部（プロセッサ）８１は、描画部４０を動作させて生成された正像の描画用データに基づいてネイルシール（記録用媒体Ｓｎ）に対する描画処理を行わせる（ステップＳ３７）。
【００７２】
他方、ユーザによってネイルシールモードが選択されていない場合、すなわち、タトゥーシート等を生成する転写シートモードが選択されている場合（ステップＳ３４；ＮＯ）には、制御部（プロセッサ）８１は、さらに、媒体載置部３５にメモ媒体等の記録用媒体Ｐが載置されているか否かを判断する（ステップＳ３８）。そして、媒体載置部３５にメモ媒体等の記録用媒体Ｐが載置されていない場合、すなわち、描画対象が媒体保持部材６０に保持された記録用媒体Ｓｔのみである場合（ステップＳ３８；ＮＯ）には、媒体描画データ生成部８１９としての制御部（プロセッサ）８１は、媒体フィッティングデータに基づいて反転像の描画用データを生成する（ステップＳ３９）。そして、制御部（プロセッサ）８１は、描画部４０を動作させて生成された反転像の描画用データに基づいてタトゥーシート等の転写用シート（記録用媒体Ｓｔ）に対する描画処理を行わせる（ステップＳ４０）。
【００７３】
また、保持部材配置部３７に媒体保持部材６０も配置されていない場合（ステップＳ３０；ＮＯ）には、制御部（プロセッサ）８１は、次に媒体載置部３５にメモ媒体等の記録用媒体Ｐが載置されているか否かを判断する（ステップＳ４１）。
そして、媒体載置部３５にメモ媒体等の記録用媒体Ｐが載置されていない場合（ステップＳ４１；ＮＯ）には、制御部（プロセッサ）８１は、描画装置２００に描画対象が何も設定されていないと判断して、何も描画処理を行わずに（ステップＳ４２）処理を終了する。なお、この場合、印刷指Ｕ１、記録用媒体Ｐ，Ｓといったいずれかの描画対象をセットするよう促すメッセージ等を表示部１３に表示させる等によりユーザに注意喚起を行ってもよいことは第１の実施形態と同様である。
【００７４】
他方、媒体載置部３５にメモ媒体等の記録用媒体Ｐが載置されている場合（ステップＳ４１；ＹＥＳ）には、制御部（プロセッサ）８１は、選択されているネイルデザインを予め用意されているモデル爪Ｔｍの形状にフィッティングさせ、モデル爪フィッティングデータを生成する（ステップＳ４３）。
そして、媒体描画データ生成部８１９としての制御部（プロセッサ）８１は、モデル爪フィッティングデータに基づいてメモ媒体描画用データを生成する（ステップＳ４４）。
また、媒体描画データ生成部８１９としての制御部（プロセッサ）８１は、描画時のタイムスタンプ等の文字情報の描画データであるテキスト描画データを生成する（ステップＳ４５）。
そして、制御部（プロセッサ）８１は、生成されたメモ媒体描画用データとテキスト描画データとに基づいて、メモ媒体である記録用媒体Ｐに対する描画処理を行わせる（ステップＳ４６）。
【００７５】
他方、保持部材配置部３７に指保持部材３０が配置されている場合（ステップＳ２３；ＹＥＳ）であって、媒体載置部３５にメモ媒体等の記録用媒体Ｐが載置されている場合（ステップＳ２７；ＹＥＳ）には、媒体描画データ生成部８１９としての制御部（プロセッサ）８１は、指保持部材３０に保持されているユーザの爪Ｔにネイルデザインをフィッティングさせたユーザ爪フィッティングデータに基づいてメモ媒体描画用データを生成する（ステップＳ４７）。
さらに、媒体描画データ生成部８１９としての制御部（プロセッサ）８１は、描画時のタイムスタンプ等の文字情報の描画データであるテキスト描画データを生成する（ステップＳ４９）。
そして、制御部（プロセッサ）８１は、生成されたメモ媒体描画用データとテキスト描画データとに基づいて、メモ媒体である記録用媒体Ｐに対する描画処理を行わせる（ステップＳ５０）。
【００７６】
また、保持部材配置部３７に媒体保持部材６０が配置されている場合（ステップＳ２３；ＹＥＳ）であって、媒体載置部３５にメモ媒体等の記録用媒体Ｐが載置されている場合（ステップＳ２７；ＹＥＳ）には、ネイルシールモードが選択されている場合もネイルシールモードが選択されていない場合（すなわち、転写シートモードが選択されている場合）も、媒体描画データ生成部８１９としての制御部（プロセッサ）８１は、媒体フィッティングデータに基づいて正像の描画用データを生成する（ステップＳ４８）。なお、転写シートモードが選択されている場合、実際に転写用シート（記録用媒体Ｓｔ）に描画されたのと同じ反転像をメモ媒体（記録用媒体Ｐ）にも残したい場合には、反転像の描画用データを生成するとしてもよい。
さらに、媒体描画データ生成部８１９としての制御部（プロセッサ）８１は、描画時のタイムスタンプ等の文字情報の描画データであるテキスト描画データを生成する（ステップＳ４９）。
そして、制御部（プロセッサ）８１は、生成されたメモ媒体描画用データとテキスト描画データとに基づいて、メモ媒体である記録用媒体Ｐに対する描画処理を行わせる（ステップＳ５０）。
【００７７】
図１３（ａ）は、保持部材配置部３７に記録用媒体Ｓｎであるネイルシールが保持された媒体保持部材６０が配置され、媒体載置部３５にメモ媒体等の記録用媒体Ｐが載置されている場合の描画可能領域２１ａの平面図である。また、図１３（ｂ）は、図１３（ａ）に示す状態で描画が行われた場合の描画例を示す図である。
この場合には、図１３（ｂ）に示すように、媒体保持部材６０に保持されたネイルシール（記録用媒体Ｓｎ）にネイルデザインが描画されるとともに、媒体載置部３５にセットされているメモ媒体（記録用媒体Ｐ）にもネイルデザインの描画が行われる。この場合、メモ媒体（記録用媒体Ｐ）には、ネイルシール（記録用媒体Ｓｎ）にフィッティングされたネイルデザインの正画像が描画される。また、描画が行われた日時を示すタイムスタンプＰｓや、ユーザが操作部１２等から入力したコメント等のテキスト情報Ｐｔ等も、ネイルデザインの正画像とともにメモ媒体（記録用媒体Ｐ）に描画される。
【００７８】
また、図１４（ａ）は、保持部材配置部３７に記録用媒体Ｓｔである転写用シートが保持された媒体保持部材６０が配置され、媒体載置部３５にメモ媒体等の記録用媒体Ｐが載置されている場合の描画可能領域２１ａの平面図である。また、図１４（ｂ）は、図１４（ａ）に示す状態で描画が行われた場合の描画例を示す図である。
この場合には、図１４（ｂ）に示すように、媒体保持部材６０に保持された転写用シート（記録用媒体Ｓｔ）にネイルデザインが描画されるとともに、媒体載置部３５にセットされているメモ媒体（記録用媒体Ｐ）にもネイルデザインの描画が行われる。この場合、転写用シート（記録用媒体Ｓｔ）に描画されたのと同じ反転像をメモ媒体（記録用媒体Ｐ）にも描画すると、記録として残しておくメモ媒体としては後日イメージを捉えにくく、好ましくない。このため、メモ媒体（記録用媒体Ｐ）には、図１４（ｂ）に示すように、転写用シート（記録用媒体Ｓｔ）にフィッティングされたネイルデザインの正画像が描画されることが好ましい。また、描画が行われた日時を示すタイムスタンプＰｓや、ユーザが操作部１２等から入力したコメント等のテキスト情報Ｐｔ等も、ネイルデザインの正画像とともにメモ媒体（記録用媒体Ｐ）に描画される。
【００７９】
このように、本実施形態によれば、ユーザが設定しなくても、自動的に描画対象に応じた描画を行うことができる。
【００８０】
なお、その他の点については、第１の実施形態と同様であることから、その説明を省略する。
【００８１】
以上のように、本実施形態によれば、第１の実施形態と同様の効果を得られる他、以下の効果を得ることができる。
すなわち、本実施形態において、描画可能領域２１ａ内には、保持部材配置部３７が設けられ、保持部材配置部３７には、印刷指Ｕ１を保持する指保持部材３０と記録用媒体Ｓを保持する媒体保持部材６０とが、選択的に着脱可能となっており、制御部（プロセッサ）８１は、保持部配置部３７に印刷指Ｕ１の爪Ｔが保持された指保持部材３０が装着された場合は、当該印刷指Ｕ１の爪Ｔに応じた描画用データを生成し、保持部配置部３７に記録用媒体Ｓが保持された媒体保持部材６０が装着された場合は、当該記録用媒体Ｓに応じた描画用データを生成するようになっている。
これにより、爪Ｔにネイルプリントを行う場合のみでなく、ネイルシール等を描画対象とすることができ、１台の装置を各種の用途に広く活用することができる。
また、自分の爪Ｔに直接ネイルプリントを施すことには抵抗のあるユーザも、ネイルシール等によって気軽にネイルデザインを楽しむことが可能となる。
そして、このように、各種の描画対象に描画できるようにした場合にも、自動的に各種の描画対象を識別して各描画対象にあった描画を行うため、ユーザに手間を掛けずに、簡易にネイルプリントを楽しむことができる。
【００８２】
また、本実施形態では、媒体保持部材６０に保持される記録用媒体Ｓは、ネイルシール（記録用媒体Ｓｎ）及び転写用シート（記録用媒体Ｓｔ）を含んでおり、制御部（プロセッサ）８１は、記録用媒体Ｓｎがネイルシールである場合には、正像印刷用の描画用データを生成し、記録用媒体Ｓｔが転写用シートである場合には、反転像印刷用の描画用データを生成するようになっている。
これにより、爪Ｔに印刷するのと同じ正像を描画するネイルシール等の記録用媒体Ｓｎを描画対象とする場合のみならず、画像を反転させて描画する転写用シート等の記録用媒体Ｓｔについても描画対象とする場合ことができ、１台の装置を各種の用途に広く活用することができる。
そして、このように、各種の描画対象に描画できるようにした場合にも、本実施形態の描画装置２００は、ユーザが自ら設定等を行わなくても、自動的に各種の描画対象を識別して各描画対象にあった描画を行う。このため、ユーザに手間を掛けずに、簡易にネイルプリントを楽しむことができる。
【００８３】
なお、以上本発明の実施形態について説明したが、本発明は、かかる実施形態に限定されず、その要旨を逸脱しない範囲で、種々変形が可能であることは言うまでもない。
【００８４】
例えば、上記各実施形態では、特に記載しなかったが、第１の実施形態における指固定部３や、第２の実施形態における指保持部材の奥側等に、爪Ｔの先が載置される爪載置部等を設けて、爪Ｔの先をこの爪載置部に載置させるようにしてもよい。
このようにした場合には、より確実に爪Ｔの高さ位置を規定することができ、記録用媒体Ｐとの表面高さもより正確に合わせることができる。
【００８５】
また、上記各実施形態では、印刷指Ｕ１を１本ずつ挿入して描画を行う場合を示したが、複数の指を同時に保持、固定することのできる指固定部（第１の実施形態における指固定部）や指保持部材（第２の実施形態における指保持部材）を設けて、複数の印刷指Ｕ１に対して同時に描画を行うことができるようにしてもよい。
【００８６】
また、上記各実施形態では、描画対象検出部８１４（爪情報検出部８１２、媒体情報検出部８１３）が、撮影部５０により取得した画像を分析することで描画対象の有無や種類を判断する場合を例示したが、描画対象の有無や種類を判断する手法はこれに限定されない。
例えば、第１の実施形態における指固定部３、第２の実施形態における指保持部材、媒体載置部３５等に、印刷指Ｕ１や記録用媒体Ｐ，Ｓ（ＳｎやＳｔ）の有無を検出する接触センサ等の検出手段を設けて、これにより描画対象の有無等を検出してもよい。
また特に記録用媒体Ｐ，Ｓ（Ｓｎ又はＳｔ）については規格の大きさ等を予め設定しておけば、例えば撮影部５０によって取得された画像等から描画対象検出部８１４が記録用媒体Ｐ，Ｓ（Ｓｎ又はＳｔ）の載置の有無のみを検出し、載置されている場合には所定の範囲内に描画を行うとすることで適切な範囲に描画することも可能である。
【００８７】
また、上記第２の実施形態では、描画対象がネイルシール等の記録用媒体Ｓｎである場合に、ネイルシールの形状にネイルデザインを合わせ込んで、ネイルシール等の記録用媒体Ｓｎへの描画用データやメモ用媒体等の記録用媒体Ｐへの描画用データを生成するとしたが、ネイルデザインを合わせ込む対象はネイルシールの形状に限定されない。
例えば、メモ用媒体等の記録用媒体Ｐへの描画用データにおいては、ネイルデザインをユーザの爪Ｔやモデル爪Ｔｍ等の形状に合せ込んで描画用データを生成してもよい。
また、ネイルシール等の記録用媒体Ｓｎへの描画用データについても、ユーザの爪Ｔ等の形状に合せ込んで描画用データを生成し、ユーザの爪Ｔの輪郭を薄く描画してもよい。このようにすることで、ネイルシール等の記録用媒体Ｓｎがユーザの爪Ｔよりも大きい場合等、大きさや形状が合わない場合に、描画後、ネイルシール等の記録用媒体Ｓｎを、ユーザが容易に自分の爪Ｔにあった形状にカットして使用することができる。
【００８８】
また、上記第２の実施形態では、保持部材配置部３７の側にガイドレール３８を設け、指保持部材３０及び媒体保持部材６０の側にこれに係止されるガイド部３６，６６が設けられている例を示したが、指保持部材３０及び媒体保持部材６０を安定してＹ方向にスライド移動させる構成はこれに限定されず他の構成であってもよい。
【００８９】
また、上記第２の実施形態では、保持部材配置部３７に装着された保持部材が指保持部材３０であるか媒体保持部材６０であるかを、部材識別部を読み取ることによって検出する保持部材検出部２５を設ける例を示したが、部材識別部及びこれを読み取る保持部材検出部２５を設けることは必須ではない。
例えば撮影部５０によって取得される画像の解析のみによって保持部材配置部３７に装着された保持部材の種類を検出してもよい。
このようにすれば、保持部材検出部２５を備えない分、装置コストを抑えることができる。
【００９０】
また、上記第２の実施形態では、指保持部材３０、媒体保持部材６０及び媒体載置部３５が単に印刷指Ｕ１や記録用媒体Ｐ，Ｓｎ又はＳｔを載置、保持するものとしたが、印刷指Ｕ１や記録用媒体Ｐ，Ｓｎ又はＳｔをセットする部分は、本実施形態で示した構成に限定されず、例えば、印刷指Ｕ１や記録用媒体Ｐ，Ｓｎ又はＳｔを積極的に固定、保持する機構等を備えていてもよい。
【００９１】
また、上記各実施形態では、描画装置１，２００の描画ヘッド４１として、インクジェット方式の描画ヘッド４１を備える構成としたが、描画ヘッド４１の構成はこれに限定されない。
例えば、爪Ｔの表面にペン先を付けて描画を行う描画用のペンを保持するペンホルダを備え、ペンを用いて描画を行うようにしてもよい。また、本実施形態のようなインクジェット方式の描画ヘッドと描画用のペンを保持するペンホルダとを両方備えて、複数の描画手段を用いて描画を行う構成としてもよい。
【００９２】
また、描画装置１，２００に、描画後にインクを乾燥させるためのヒータやファンを備える乾燥部が設けられていてもよい。
【００９３】
また、上記各実施形態では単体の描画装置１，２００に全ての機能を持たせる場合を例示したが、例えば、描画装置と、スマートフォン等の外部の端末装置とを連携させて、描画制御を行う制御装置や操作部等については外部の端末装置側で担い、描画装置側は描画処理に必要な描画ヘッド４１等のみを有するシステムとして構成してもよい。
この場合には、描画装置の構成を簡易化することができ、また、記録用媒体Ｐに描画されるテキスト情報Ｐｔ等を端末装置側のキーボード等を用いて入力することも可能となり便宜である。
また、ネイルデザインのデータについても描画装置の記憶部８２に記憶させず、端末装置側の記憶部や端末装置の記憶部等に保存させてもよい。さらに、端末装置が各種ネットワークを介してアクセス可能な外部サーバ等に保存されたデザインデータ等を利用可能となれば、描画装置において描画可能なネイルデザインの数を飛躍的に増やすことが可能となる。
【００９４】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
描画可能領域内に配置されている描画対象の種類に応じた描画用データを生成するプロセッサと、
前記描画可能領域内に配置された前記描画対象に前記プロセッサにより生成された前記描画用データに基づいて描画を施す描画ヘッドと、
を備えた描画装置。
＜請求項２＞
前記描画対象は、指の爪及び前記指の爪以外の記録用媒体を含む請求項１に記載の描画装置。
＜請求項３＞
前記プロセッサは、前記指の爪及び前記記録用媒体の輪郭を検出することで描画可能領域内に配置されている前記描画対象の種類を検出する請求項２に記載の描画装置。
＜請求項４＞
前記プロセッサは、
前記描画対象として前記指の爪が検出された場合は、当該指の爪に応じた描画用データを生成し、
前記描画対象として前記記録用媒体が検出された場合は、検出された記録用媒体に応じた描画用データを生成し、
前記描画対象として前記指の爪及び前記記録用媒体が共に検出された場合は、検出された指の爪及び記録用媒体に応じた描画用データを生成する請求項２に記載の描画装置。
＜請求項５＞
前記描画可能領域内には、前記指を固定する指固定部と前記記録用媒体を配置する媒体載置部とが設けられ、
前記指固定部に固定された前記指の爪の表面の高さ位置と、前記媒体載置部に載置された前記記録用媒体の表面の高さ位置とが面一となるように構成されている請求項２に記載の描画装置。
＜請求項６＞
前記描画可能領域内には、保持部材配置部が設けられ、
前記保持部材配置部には、前記指を保持する指保持部材と前記記録用媒体を保持する媒体保持部材とが、選択的に着脱可能となっており、
前記プロセッサは、
前記保持部材配置部に前記指の爪が保持された前記指保持部材が装着された場合は、当該指の爪に応じた描画用データを生成し、
前記保持部材配置部に前記記録用媒体が保持された前記媒体保持部材が装着された場合は、当該記録用媒体に応じた描画用データを生成する請求項２に記載の描画装置。
＜請求項７＞
前記媒体保持部材に保持される前記記録用媒体は、ネイルシール及び転写用シートを含んでおり、
前記プロセッサは、
前記記録用媒体がネイルシールである場合には、正像印刷用の描画用データを生成し、
前記記録用媒体が転写用シートである場合には、反転像印刷用の描画用データを生成する請求項６に記載の描画装置。
＜請求項８＞
前記記録用媒体に対応する描画用データは、前記爪に描画する画像データと任意の文字データとを含んでいる請求項２に記載の描画装置。
＜請求項９＞
前記任意の文字データは、前記描画ヘッドが当該描画用データに基づいて描画を施した時間情報を含んでいる請求項８に記載の描画装置。
＜請求項１０＞
描画装置の描画方法であって、
描画可能領域内に配置されている描画対象の種類を検出し、
前記検出された前記描画対象の種類に応じた描画用データを生成し、
描画可能領域内において検出された前記描画対象に生成された前記描画用データに基づいて描画を施す、
描画方法。
＜請求項１１＞
描画ヘッドを備えた描画装置のコンピュータに、
描画可能領域内に配置されている描画対象の種類を検出させ、
前記検出された前記描画対象の種類に応じた描画用データを生成させ、
描画可能領域内において前記検出された前記描画対象に生成された前記描画用データに基づいて前記描画対象に描画させるように前記描画ヘッドを制御する、
処理を実行させる読み取り可能なプログラムを記録した記録媒体。
【符号の説明】
【００９５】
１        描画装置
３        指固定部
２１      上面板
２１ａ    描画可能領域
３０      指保持部材
３５      媒体載置部
４０      描画部
４１      描画ヘッド
５０      撮影部
６０      媒体保持部材
８１      制御部
８２      記憶部
８１２    爪情報検出部
８１３    媒体情報検出部
８１４    描画対象検出部
８１５    描画データ生成部
８１６    描画制御部
Ｐ        記録用媒体
Ｓ        記録用媒体
Ｔ        爪
Ｕ１      印刷指
【図１】
2019017991.tif 000003
【図２】
2019017991.tif 000004
【図３】
2019017991.tif 000005
【図４】
2019017991.tif 000006
【図５】
2019017991.tif 000007
【図６】
2019017991.tif 000008
【図７】
2019017991.tif 000009
【図８】
2019017991.tif 000010
【図９】
2019017991.tif 000011
【図１０】
2019017991.tif 000012
【図１１】
2019017991.tif 000013
【図１２】
2019017991.tif 000014
【図１３】
2019017991.tif 000015
【図１４】
2019017991.tif 000016